(57)【要約】【課題】建築用電動シャッターの遠隔操作装置を、躯体側に収納できるような構成としながら、操作性のよいものにする。【解決手段】遠隔操作装置７を、シャッターカーテン２のカーテン面に直交状に配される躯体壁材１２に沿うよう固定されるベースプレート１３と、該ベースプレート１３に開設された切欠き孔１３ａに設けられる作動プレート１５と、該作動プレート１５の内側面１５ａに設けられる操作ユニット１６とにより構成し、前記作動プレート１５を、ベースプレート１３の切欠き孔１３ａを閉鎖し、操作ユニット１６が躯体の凹部Ｓに収納される収納姿勢と、作動プレート１３がベースプレート１３の切欠き孔１３ａを開放し、操作ユニット１６の送信部１６ｃが外部に露出する操作姿勢とに変姿するように構成する。【選択図】図１
2010127018.tif 000002
【特許請求の範囲】
【請求項１】
遠隔操作装置の操作に基づく開閉機の駆動制御により、躯体開口部に設けたシャッターカーテンが開口部両側に立設されたガイドレールに沿って開閉作動するよう構成された建築用電動シャッターにおいて、前記遠隔操作装置を、シャッターカーテンのカーテン面に直交状に配される躯体面に沿うよう設けられるベースプレートと、該ベースプレートに開設された切欠き孔に設けられる作動プレートと、該作動プレートの内側に設けられ、操作スイッチと該操作スイッチの操作に伴い対応する信号を送信する送信部とを備えた操作ユニットとにより構成し、前記作動プレートは、ベースプレートの切欠き孔を閉鎖し、操作ユニットを躯体面に形成される凹部に収納する収納姿勢と、作動プレートの少なくとも一部が外部に突出し、送信部が外部に露出する操作姿勢とに変姿するように構成されている建築用電動シャッターにおける遠隔操作装置。
【請求項２】
操作ユニットの操作スイッチの操作方向は、作動プレートの操作姿勢においてシャッターカーテンのカーテン面に向かう方向となるように構成されている請求項１に記載の建築用電動シャッターにおける遠隔操作装置。
【請求項３】
遠隔操作装置は、作動プレートを収納姿勢と操作姿勢とに保持する保持手段がそれぞれ設けられている請求項１または２の何れか１項に記載の建築用電動シャッターにおける遠隔操作装置。
【請求項４】
作動プレートは、ベースプレートに対して揺動自在に設けられるものとし、作動プレートの操作姿勢を保持する保持手段はベースプレートの切欠き孔の孔縁により構成されている請求項３に記載の建築用電動シャッターにおける遠隔操作装置。
【発明の詳細な説明】
【技術分野】
【０００１】
本発明は、建築物の出入り口部や、広い空間を仕切るように設けられる建築用電動シャッターにおける遠隔操作装置の技術分野に属するものである。
【背景技術】
【０００２】
一般に、開口部を開閉するシャッターカーテンを備えた建築用電動シャッターのなかには、電波や赤外線等の空中伝播媒体を利用した遠隔操作具により操作信号を出力し、該操作信号を受信する受信部を備えた制御部が、入力された操作信号に対応する駆動指令を開閉機に出力してシャッターカーテンを開閉作動するように構成したものがある。このようなものにおいて、遠隔操作具は、従来、使用者が持ち歩いたり、所定の部所に載置、保管するものであり、このため、スイッチ部に無意識のうちに触れたり、物が当たったりして誤った操作信号を出力することがあり問題がある。
【０００３】
この改善策として、受信部に入力される操作信号の入力状態により、操作信号が意図されたものであるか、誤った操作による信号であるかを制御部において判断し、誤った操作による信号であると判断された場合に、該信号を無視するようにしたものが提唱されている。
【特許文献１】特開平５−２７２２８３号公報
【発明の開示】
【発明が解決しようとする課題】
【０００４】
しかるに、このものでは、遠隔操作具が外部に露出した状態でおかれるものであるため、スイッチ部が悪戯や、誤って操作されることがあり、この場合では、シャッターカーテンの不用意な開閉作動が生じることになる。これに対処するには、遠隔操作具をシャッター配設部位の近傍等の一定の場所に外部に露出しないように収納しておくことが考えられるが、このようにすると、シャッターカーテンを開閉作動させる度に遠隔操作具をいちいち出し入れしなければならず、操作性に劣るという問題があり、ここに本発明の解決すべき課題がある。
一方、近年、遠隔操作により作動、作動停止等の操作ができるように構成される電気製品が増加しており、多くの遠隔操作具による操作がなされるため、電動シャッターの遠隔操作具とは異なる遠隔操作具からの信号を誤って電動シャッターの受信部が受信して誤作動することがある。これに対処する一つの手段としては、指向性の高い空中伝播媒体（例えば赤外線）を用いて遠隔操作具を構成して受信しにくくすることが考えられるが、このようにすると、専用の遠隔操作具であっても受信部に向ける方向が限定されて操作性に劣るという問題があり、ここにも本発明の解決すべき課題がある。
【課題を解決するための手段】
【０００５】
本発明は、上記の如き実情に鑑みこれらの課題を解決することを目的として創作されたものであって、請求項１の発明は、遠隔操作装置の操作に基づく開閉機の駆動制御により、躯体開口部に設けたシャッターカーテンが開口部両側に立設されたガイドレールに沿って開閉作動するよう構成された建築用電動シャッターにおいて、前記遠隔操作装置を、シャッターカーテンのカーテン面に直交状に配される躯体面に沿うよう設けられるベースプレートと、該ベースプレートに開設された切欠き孔に設けられる作動プレートと、該作動プレートの内側に設けられ、操作スイッチと該操作スイッチの操作に伴い対応する信号を送信する送信部とを備えた操作ユニットとにより構成し、前記作動プレートは、ベースプレートの切欠き孔を閉鎖し、操作ユニットを躯体面に形成される凹部に収納する収納姿勢と、作動プレートの少なくとも一部が外部に突出し、送信部が外部に露出する操作姿勢とに変姿するように構成されている建築用電動シャッターにおける遠隔操作装置である。
請求項２の発明は、操作ユニットの操作スイッチの操作方向は、作動プレートの操作姿勢においてシャッターカーテンのカーテン面に向かう方向となるように構成されている請求項１に記載の建築用電動シャッターにおける遠隔操作装置である。
請求項３の発明は、遠隔操作装置は、作動プレートを収納姿勢と操作姿勢とに保持する保持手段がそれぞれ設けられている請求項１または２の何れか１項に記載の建築用電動シャッターにおける遠隔操作装置である。
請求項４の発明は、作動プレートは、ベースプレートに対して揺動自在に設けられるものとし、作動プレートの操作姿勢を保持する保持手段はベースプレートの切欠き孔の孔縁により構成されている請求項３に記載の建築用電動シャッターにおける遠隔操作装置である。
【発明の効果】
【０００６】
請求項１の発明とすることにより、操作ユニットを、悪戯防止や誤操作を防止するべく躯体凹部に収納される状態と送受信が可能な状態とに変姿自在な状態で躯体に固定することができて、いちいち出し入れすることなく操作性のよい遠隔操作装置とすることができる。
請求項２の発明とすることにより、遠隔操作装置をシャッターカーテンの開閉軌跡の近傍に設けたとしても、操作ユニットの操作を操作性よく行うことができる。
請求項３の発明とすることにより、悪戯の防止が図れ、しかも、安定した操作ユニットの操作ができ、しかも、確実な送受信ができて、操作性のさらなる向上が図れる。
請求項４の発明とすることにより、保持手段となる部材を格別設けることなく操作姿勢を保持できて、構成の簡略化が図れるうえ、配設場所に制限がなくなって設計の自由度が向上する。
【発明を実施するための最良の形態】
【０００７】
つぎに、本発明の実施の形態について、図面に基づいて説明する。
図面において、１は通路、出入り口等の躯体に形成される開口部Ｈに建付けられる建築用電動シャッターであって、該建築用電動シャッター１を構成するシャッターカーテン２は、開口部Ｈ上方に配される図示しない巻取りドラムに巻装されており、開口部Ｈ上方の開閉機３の正逆駆動に基づいて巻取りドラムが正逆回転することにより、シャッターカーテン２が巻取り、巻出しされるように構成されている。これによって、シャッターカーテン２は、左右両側部が開口部Ｈの左右両側に立設されたガイドレール４のガイド溝４ａに移動案内される状態で開口部Ｈを上下動し、開口部Ｈを開放する全開姿勢と開口部Ｈを閉鎖する全閉姿勢との間を開閉作動するように構成されており、これらの構成は何れも従来通りとなっている。
【０００８】
前記開閉機３は、減速機５ａ付きの電動モータ５、シャッターカーテン２の閉鎖作動を制動する図示しないブレーキ装置等、各種部材装置を備えて構成されている。
さらに、開閉機３には必要な配線がなされたシャッター制御盤３ａが設けられており、該シャッター制御盤３ａに、シャッターカーテン２の開閉制御をするための制御部６が接続されている。そして、制御部６は、受信制御部を備えた受信部６ａが接続されており、後述する遠隔操作装置７の操作スイッチ（開放、閉鎖、停止用スイッチＰＢＵ、ＰＢＤ、ＰＢＳ）の操作に基づいて送信される信号が、受信部６ａに入力されると受信制御部を経由して制御部６に入力されるように構成されている。さらに、制御部６には、開閉機３に設けられシャッターカーテン２の全閉姿勢、全開姿勢を検知するリミットスイッチ８からの信号、シャッターカーテン２の下端部に設けられる障害物検知スイッチ９からの信号等、必要なスイッチ類やセンサ類からの信号が入力されるように構成されており、制御部６は、これら入力された信号に基づいて対応する駆動指令をシャッター制御盤３ａに対して出力するように構成されている。
【０００９】
そして、制御部６は、遠隔操作装置７に設けられる開放、または、閉鎖スイッチＰＢＵ、ＰＢＤのスイッチ操作がなされて対応する信号の入力がなされることに伴い、シャッター制御盤３ａ（開閉機３）に対しブレーキ装置の制動解除指令を出力するとともに、電動モータ５の開放、または、閉鎖駆動指令を出力してシャッターカーテン２を開、または、閉作動せしめるように構成されている。一方、停止スイッチＰＢＳのスイッチ操作がなされて停止信号の入力がなされると、制御部６は、シャッター制御盤３ａ（開閉機３）に対し電動モータ５の駆動停止指令を出力するとともに、ブレーキ装置の制動指令を出力してシャッターカーテン２を停止作動せしめる等の通常の開閉作動制御を行うように構成されており、これらの制御構成は何れも従来通りである。
尚、障害物検知スイッチ９は、シャッターカーテン２の最下端に設けられる座板２ａに配される所謂座板スイッチで構成されており、座板２ａが障害物に当接して上動することに基づいてスイッチ切換えがなされ、障害物検知信号を出力するように構成されている。そして、障害物検知スイッチ９から引出されるリード線９ａは、開口部上方に取付けられたコードリール９ｂに巻取り方向に付勢される状態で巻装されており、シャッターカーテン２の開閉作動に合わせてリード線９ａが巻取り、巻出しされるように構成されている。
【００１０】
さて、前記遠隔操作装置７は、本実施の形態では、左右一対のガイドレール４のうちの一側方のガイドレール４であって、本実施の形態では図１において図面向かって右側のガイドレール４の、出入り方向一方であって、本実施の形態では、図１において手前側に隣接して設けられている。
前記ガイドレール４は、躯体に形成された凹部Ｓに適宜手段を用いて固定される断面コ字形状の下地材１０に組込まれている。前記下地材１０は、凹部Ｓ溝底側の底片１０ａと、出入り方向一対の側片１０ｂ、１０ｃとにより構成されている。そして、ガイドレール４は、下地材１０の底片１０ａに沿う溝底片４ｂと、下地材側片１０ｂ、１０ｃに対向する一対の溝側片４ｃ、４ｄとにより、躯体開口部Ｈ側が開口するガイド溝４ａが形成されている。さらに、一対の溝側片４ｂ、４ｃの溝開口側の端縁部には、それぞれ離間する方向に延出する見付け片４ｅ、４ｆが形成され、これら見付け片４ｅ、４ｆの延出端部には、溝底片４ｂ側に延出し、下地材１０の各側片１０ｂ、１０ｃの外側面にそれぞれ積層状に折返される折返し片４ｇ、４ｈが形成されている。そして、ガイドレール４の出入り方向一方の溝側片４ｄに対向する下地材１０の側片１０ｃの上下方向中間部には、遠隔操作装置７を支持するためのＬ字形に形成されたアングル材１１の固定片部１１ａが一体的に固定され、シャッターカーテン２のカーテン面に直交するプレート面を有した取付け片部１１ｂが、下地材１０（ガイドレール４）の出入り方向一方側に突出配設されている。
【００１１】
ここで、ガイドレール４が固定される躯体の凹部Ｓは、ガイドレール４を埋設する状態となるよう、凹部Ｓの開口側において壁材１２が配されており、該壁材１２は、シャッターカーテン２のカーテン面に直交する方向の躯体面を構成している。前記壁材１２の配設位置は、ガイドレール４の見付け片４ｅ、４ｆより溝底側に位置するように設定されており、壁材１２が見付け片４ｅ、４ｆに対して段差状となる位置関係となっている。さらに、ガイドレール４の出入り方向一方側の壁材１２には、前記アングル材の取付け片部１１ｂに対向する部位に位置して遠隔操作装置７配設用の切欠き孔１２ａが開設されるが、該切欠き孔１２ａは、壁材１２をガイドレール４（下地材１０）側から切欠かれることにより、上下方向に長い四角形状に形成されている。
【００１２】
一方、前記遠隔操作装置７は、上下方向長尺の四角形状に形成された金属製板材で構成されるベースプレート１３を備えて構成されており、該ベースプレート１３は、壁材１２の切欠き孔１２ａを塞ぐように設けられて、プレート面がシャッターカーテン２のカーテン面に直交する方向となっている。前記ベースプレート１３には、前記壁材１２の切欠き孔１２ａに連通する切欠き孔１３ａが、出入り方向他方側（ガイドレール４側）に偏寄して開設されているとともに、ベースプレート１３の躯体凹部Ｓ側を向く内側の面（内側面）１３ｂには、コ字状に折曲形成された連結部材１４が設けられている。前記連結部材１４は、上下に対向する一対の脚片１４ａと、凹部Ｓの溝底側に位置して一対の脚片１４ａ同士を連結する連結片１４ｂとにより構成されており、上下の脚片１４ａの端部をベースプレート内側面１３ｂの切欠き孔１３ａの上下の孔縁に突当て状に固定することにより、連結片１４ｂが凹部Ｓ側に突出してアングル材１１の取付け片部１１ｂに対向するように構成されている。そして、前記連結片１４ｂとアングル材１１の取付け片部１１ｂとを上下一対の螺子１４ｃを用いて固定することにより、ベースプレート１３がガイドレール４に支持されるように構成されている。
ここで、ベースプレート１３は、内側面１３ｂの三方の外周縁部が壁材１２の切欠き孔１２ａの孔縁に押し当てられる状態で固定されるように設定されており、その取付けは、連結部材１４の連結片１４ｂに形成された貫通孔１４ｄに切欠き孔１３ａ側から螺子１４ｃを貫通させ、該螺子１４ｃの貫通先端部を取付け片部１１ｂに形成される螺子孔１１ｃに緊締する構成となっており、このように取付けることにより、ベースプレート１３を壁材１２に密着状に固定することが可能となる。そして、ベースプレート１３の取付け状態において、ベースプレート１３は、ガイドレール４の見付け片４ｅ、４ｆよりも凹部Ｓ側（ガイド溝４ａの溝奥側）に位置するように設定されている。
【００１３】
１５はベースプレート１３の切欠き孔１３ａに設けられる作動プレートであって、該作動プレート１５は、切欠き孔１３ａを閉鎖（覆蓋）することができる大きさに形成された金属性板材で構成されており、躯体凹部Ｓ側の面となる内側の面（内側面）１５ａには操作ユニット１６が設けられている。前記操作ユニット１６は、ケース体１６ａを備えて構成されており、ケース体１６ａは、上下端部が螺子１６ｂにより作動プレート１５の内側面１５ａに螺着されている。そして、ケース体１６ａには、図示しないバッテリ、送信制御部等の必要な部材が内装されているとともに、ケース体１６ａの凹部Ｓ側の面となる内側面に、本発明の操作スイッチに相当する開放、閉鎖、停止用スイッチＰＢＵ、ＰＢＤ、ＰＢＳが設けられている。これら各スイッチＰＢＵ、ＰＢＤ、ＰＢＳの操作方向（押し方向）は、作動プレート１５側に向かう方向となるように構成されており、各スイッチＰＢＵ、ＰＢＤ、ＰＢＳが選択的に操作されることに伴い出力される信号は、送信制御部を経由して、ケース体１６ａの上端面に設けられる送信部１６ｃから出力されるように構成されている。尚、各スイッチＰＢＵ、ＰＢＤ、ＰＢＳの操作に伴い送信される信号は、本実施の形態では指向性の高い赤外線が用いられている。
そして、作動プレート１５は、ベースプレート１３の切欠き孔１３ａに対して揺動自在となるよう、切欠き孔１３ａの上下の孔端面と、作動プレート１５の上下端面との板厚内同士において支持される上下一対の枢軸１５ｂを介してベースプレート１３に連結されているが、前記枢軸１５ｂの配設位置は、出入り方向中央位置よりも他方側（ガイドレール４側）に偏寄しており、作動プレート１５の出入り方向一方側の端部が戸先側端部となって、凹部Ｓ内を出没する揺動がなされるように構成されている。
【００１４】
このように構成された作動プレート１５は、前記枢軸１５ｂを介して揺動し、操作ユニット１６が設けられない躯体開口部Ｈ側を向く外側の面（外側面）１５ｃが、ベースプレート１３の外側の面（外側面）１３ｃと面一状となる収納姿勢になることにより、作動プレート内側面１５ａに配された操作ユニット１６が躯体凹部Ｓに収納され、かつ、ベースプレート１３の切欠き孔１３ａを閉鎖することにより作動プレート１５が操作ユニット１６を覆蓋して外部に露出させることがないように構成されている。そして、作動プレート１５が収納姿勢に変姿した場合では、ベースプレート１３に配される連結部材１４の上側脚片１４ａに支持されたマグネットキャッチ１７が、作動プレート１５の内側面１５ａ上部に磁着することにより、収納姿勢が保持されるように構成されている。
そして、マグネットキャッチ１７による収納姿勢が保持された作動プレート１５は、マグネットキャッチ１７との磁着部である外側面１５ｃの「押」と表示される部位を躯体側（凹部Ｓ側）に押しやって、作動プレート１５の戸先側部位を凹部Ｓ内に没入するように操作することで、マグネットキャッチ１７の磁着力から解放されるとともに、開口部Ｈ側に突出するマグネットキャッチ１７のアーム部１７ａにより開口部Ｈ側に押し出されるように揺動して、ベースプレート１３の切欠き孔１３ａを開放する（切欠き孔１３ａから離れる）ように構成されており、この状態が、操作者が作動プレート１５を自由に揺動変姿させることができる変姿可能状態に構成されている。
【００１５】
さらに、作動プレート１５の内側面１５ａには、操作ユニット１６の下方から凹部Ｓ側に向けて突出する錠受けプレート１８が固定されており、前記作動プレート１５の収納姿勢で、錠受けプレート１８とベースプレート１３に配される連結部材１４の下側脚片１４ａとが近接対向するように構成されている。一方、ベースプレート１３の下側脚片１４ａ固定部の下方には、作動プレート１５を収納姿勢に施錠する施錠具１９が設けられている。
前記施錠具１９は、ベースプレート１３に貫通状に設けられる錠操作部１９ａと、ベースプレート１３の内側に設けられ、図示しないキーにより錠操作部１９ａを操作することに伴い施錠姿勢と解錠姿勢とに変姿する施錠片１９ｂとにより構成されている。そして、作動プレート１５の収納姿勢において、錠操作部１９ａを施錠操作して施錠片１９ｂを上方に向く施錠姿勢とすることにより、施錠片１９ｂがベースプレート１３の下側脚片１４ａと作動プレート１５の錠受けプレート１８とに連通状に開設された貫通孔１８ａ、１４ｅに嵌入するように構成されている。この状態となると、作動プレート１５とベースプレート１３とが一体化して、作動プレート１５は、揺動変姿が可能な変姿可能状態になることを規制される施錠状態となるように構成されている。また、前記施錠状態において、錠操作部１９ａを解錠操作して施錠片１９ｂを出入り方向を向く解錠姿勢とすることにより、施錠片１９ｂが前記貫通孔１８ａ、１４ｅから抜出すように構成されており、この状態になると、作動プレート１５とベースプレート１３との一体化が解除され、作動プレート１５は、変姿可能状態になることを許容される解錠状態となるように構成されている。これによって、施錠具１９の施錠状態では、作動プレート１５の「押」表示部位を押し操作して、作動プレート１５の上部がマグネットキャッチ１７のアーム部１７ａにより開口部Ｈ側に押しやられても、作動プレート１５が変姿可能状態となることはなく、これによって、悪戯等により操作ユニット１６が外部に露出して操作され、シャッターカーテン２が不用意に開閉作動してしまうような不具合を確実に防止できるように構成されている。
【００１６】
そして、このものにおいて、施錠具１９を解錠状態とし、かつ、作動プレート１５の「押」表示部位を操作して、マグネットキャッチ１７による収納姿勢の保持を解除した場合では、アーム部１７ａにより開口部Ｈ側に押し出された作動プレート１５の戸先側端部を把持して開口部Ｈ側に向けてさらに揺動させることにより、作動プレート１５は、外側面１５ｃがベースプレート１３よりも開口部Ｈ側に位置し、ガイドレール４の出入り方向他方側の見付け片４ｆと折返し片４ｈとにより構成されるコーナー部Ｒに当接する操作姿勢に変姿するように構成されている。そして、この状態において、作動プレート１５は、ベースプレート１３に対して９０度を越える揺動がなされた状態となっているとともに、コーナー部Ｒに当接することで開口部Ｈ側への揺動が規制されるように構成されている。この位置規制を受ける操作姿勢において、操作ユニット１６は、上端面に設けられた送信部１６ｃが凹部Ｓ内から外部に露出し、送信部１６ｃと開口部Ｈ上方に設けられる受信部６ａとが、送信部１６ｃからの信号を確実に受信できる位置関係となるように位置設定されている。さらに、作動プレート１５の操作姿勢において、操作ユニット１６は、各スイッチＰＢＵ、ＰＢＤ、ＰＢＳが出入り方向一方を向く姿勢となるとともに、各スイッチＰＢＵ、ＰＢＤ、ＰＢＳの操作方向がシャッターカーテン２のカーテン面に向かう方向となるように構成されている。これによって、操作ユニット１６の各スイッチＰＢＵ、ＰＢＤ、ＰＢＳを押し操作したときに、送信部１６ｃから送信される信号が確実に受信部６ａに受信されるうえ、各スイッチＰＢＵ、ＰＢＤ、ＰＢＳの操作方向（押し方向）が、ガイドレール４のコーナー部Ｒを押しやる方向であって、作動プレート１５が揺動規制される方向となって、各スイッチＰＢＵ、ＰＢＤ、ＰＢＳを押し操作しても作動プレート１５が揺動してしまうようなことがなく、操作姿勢が保持されるように構成されており、該構成が操作姿勢における保持手段に相当している。
ここで、作動プレート１５の操作姿勢は、収納姿勢に対し９０度〜１１５度の揺動がなされた状態であることが好ましい。
【００１７】
このように、遠隔操作装置７は、必要において遠隔操作装置７を収納することができ、操作ユニット１６を操作する場合では、操作ユニット１６を出し入れするような面倒な操作をすることなく、単に作動プレート１５を押し操作して操作姿勢とすることで、操作ユニット１６が外部に露出されて、自由に操作することができる。そして、この操作姿勢では、各スイッチＰＢＵ、ＰＢＤ、ＰＢＳの操作をシャッターカーテン２に向かう姿勢で行うことができて安定した状態で各スイッチＰＢＵ、ＰＢＤ、ＰＢＳの操作ができるうえ、該押し操作をしている状態で、送信部１６ｃと受信部６ａとの位置関係を一定に保持することができて、指向性の高い赤外線を用いるものでありながら、一回の操作で確実に信号の送受信がなされることになって、操作性が優れるように構成されている。
前記操作姿勢の作動プレート１５を収納姿勢とする場合では、作動プレート１５を躯体凹部Ｓ側に押しやって、「押」表示部分を切欠き部１３ａ凹部Ｓ内に没入するよう押しやって、マグネットキャッチ１７のアーム部１７ａを退避させることで、作動プレート１５がマグネットキャッチ１７に磁着され、操作ユニット１６が凹部Ｓに収納される収納姿勢に保持されるように構成されている。
【００１８】
叙述の如く構成された本発明の実施の形態において、シャッターカーテン２は、躯体開口部Ｈの側部に立設されるガイドレール４の近傍に固定した状態で設けられる遠隔操作装置７を操作することにより開閉作動がなされるが、この場合に、遠隔操作装置７は、作動プレート１５が収納姿勢と操作姿勢とに変姿することに伴い、操作ユニット１６が凹部Ｓに収納されて外部に露出しない状態と、送信部１６ｃが外部に露出して、送信部１６ｃからの信号が受信部６ａにより受信可能な状態とすることができる。この結果、遠隔操作装置７を躯体側に固定し、操作ユニット１６を外部に露出させないようにできて、悪戯される惧れがなくなり、しかも、不用意に操作スイッチＰＢＵ、ＰＢＤ、ＰＢＳに触れてしまったり、誤操作したりする不具合をなくすことができるものでありながら、操作ユニット１６を使用する場合では、いちいち出し入れすることなく操作ユニット１６による送信が可能となって、操作性に優れた遠隔操作装置７とすることができる。
【００１９】
このように、本発明が実施されたものにあっては、遠隔操作装置７を操作するべく作動プレート１５を操作姿勢とした場合では、操作ユニット１６の各スイッチＰＢＵ、ＰＢＤ、ＰＢＳが出入り方向一方を向き、各スイッチＰＢＵ、ＰＢＤ、ＰＢＳの操作方向がシャッターカーテン２のカーテン面に向かう方向となるので、シャッターカーテン２に近い場所で操作するものでありながら、シャッターカーテン２に向かう姿勢で操作することができて、押し操作がし易く操作性に優れるばかりでなく、シャッターカーテン２の閉鎖軌跡に近付くことなく操作できるという利点がある。
【００２０】
さらに、このものでは、作動プレート１５が収納姿勢に保持されるので、遠隔操作装置７を操作するとき以外は、操作ユニット１６を躯体凹部Ｓに収納して作動プレート１５により覆蓋した状態に保持されて、操作ユニット１６が悪戯されることを防止できる。また、作動プレート１５は操作姿勢に保持されるので、各スイッチＰＢＵ、ＰＢＤ、ＰＢＳの押し操作を安定した状態で行えるとともに、送信部１６ｃと受信部６ａとの位置関係を一定に保つことができ、指向性を高めて誤作動を防止できるものでありながら、一回の操作で確実に信号の送受信がなされて、送受信における操作性を向上させることができる。
【００２１】
しかも、作動プレート１５を操作姿勢に保持する保持手段として、ガイドレール４の出入り方向一方の見付け片４ｆと折返し片４ｈとのコーナー部Ｒを用いる構成としたので、保持手段となる部材を格別設けることなく操作姿勢を保持することができて、構成の簡略化を図ることができる。
【００２２】
尚、本発明は、前記実施の形態に限定されないことは勿論であって、作動プレートは、ベースプレートに対して開口部側にスライド変位自在に設ける構成としてもよく、この構成では、遠隔操作装置を作動プレートの内側面に設ける場合では、操作部の操作面（各スイッチの配設面）がシャッターカーテンが配設される方向とは逆の方向を向くように設けることで、各スイッチの押し方向がカーテン面に向かう方向となる。
【００２３】
さらに、図６に示す第二の実施の形態のようにすることもできる。
前記第二の実施の形態の遠隔制御装置２０は、基本構成については前記第一の実施の形態と同様であり、同様の構成部材については同様の符号を付すことにより説明を省略する。第二の実施の形態では、ベースプレート２１と、該ベースプレート２１の切欠き孔２１ａに設けられる作動プレート２２とが揺動自在に連結されるが、その揺動支軸２３による枢支位置は、第一の実施の形態のように各プレートの板厚内に設けられるのではなく、躯体凹部側に偏寄して設けられている。即ち、ベースプレート２１の内側面２１ｂにはコ字状に折曲形成される連結部材２４が設けられる一方、作動プレート２２の内側面２２ａには、操作ユニット１６の配設部の下方に位置して設けられる錠受けプレート２５とともに、操作ユニット１６の配設部の上方に位置して支持用プレート２６が設けられている。そして、連結部材２４の上側脚片２４ａと支持用プレート２６、連結部材２４の下側脚片２４ａと錠受けプレート２５とが、それぞれ揺動支軸２３を介して連結することにより、前述したように、ベースプレート２１と作動プレート２２との枢支位置が躯体凹部側に偏寄した状態で連結されるように構成されている。
【００２４】
そして、このものでは、作動プレート２２の収納姿勢では、作動プレート２２の外側面２２ｂがベースプレート２１の外側面２１ｃと面一状となって、作動プレート２２がベースプレート２１の切欠き孔２１ａを閉鎖し、躯体凹部に収納される操作ユニット１６が作動プレート２２により覆蓋される状態となる。これに対し、作動プレート２２の操作姿勢では、操作ユニット１６の送信部１６ｃが外部に露出し、かつ、各スイッチＰＢＵ、ＰＢＤ、ＰＢＳの操作が行えるようになるが、揺動支軸２３が凹部Ｓ溝奥側に偏寄しているため、図６（Ｄ）に示すように、該操作姿勢を操作ユニット１６（各スイッチＰＢＵ、ＰＢＤ、ＰＢＳ）の操作方向において揺動規制して姿勢保持する保持手段がベースプレート２１の切欠き孔２１ａの孔縁Ｔにより構成することができる。これによって、前記第一の実施の形態のように、作動プレートの操作姿勢を保持する保持手段をガイドレールのコーナー部とすることができないような場合、例えば、遠隔制御装置２０を構成するベースプレート２１をガイドレールの見付け片と同位置に設ける場合や、アングル材の取付け片を出入り方向に長く持ち出して、遠隔制御装置２０をガイドレールから離れた位置に設けるような場合であっても、作動プレート２２の操作姿勢を保持する保持手段を別途設けることのない簡単な構成の遠隔制御装置２０とすることができる。これによって、遠隔制御装置２０の配設位置の制限がなくなって、設計の自由度が向上する。
【００２５】
さらに、遠隔操作装置は、前記第一、第二の実施の形態のように構成したものをボックス体に収納するように構成してもよい。そして、ボックス体の要、不要は、遠隔操作装置を取付ける箇所、例えば設置現場の躯体に形成されるガイドレールの取付け箇所（躯体凹部）の状態に応じて適宜選択することができる。
また、遠隔操作装置は、必ずしもガイドレールに支持させる必要はなく、躯体壁面に凹部を形成し、該凹部に設ける構成であってもよい。
【図面の簡単な説明】
【００２６】
【図１】シャッター装置の概略斜視図である。
【図２】要部の平面断面図である。
【図３】図３（Ａ）、（Ｂ）はそれぞれ遠隔操作装置の操作姿勢における正面図、側面図である。
【図４】図４（Ａ）、（Ｂ）、（Ｃ）はそれぞれ遠隔操作装置の側面図、正面図、側面図である。
【図５】図５（Ａ）は作動プレートの作用を説明する図４（Ａ）のＸ−Ｘ断面図、図５（Ｂ）は遠隔操作装置の平面図である。
【図６】図６（Ａ）、（Ｂ）、（Ｃ）はそれぞれ第二の実施の形態の遠隔操作装置の側面図、正面図、側面図、図６（Ｄ）は作動プレートの作用を説明する図６（Ａ）のＸ−Ｘ断面図である。
【符号の説明】
【００２７】
１    シャッター装置
２    シャッターカーテン
３    開閉機
４    ガイドレール
４ｆ    見付け片
４ｈ    折返し片
６    制御部
６ａ    受信部
７    遠隔操作装置
１０    下地材
１１    アングル材
１１ｂ    取付け片部
１２    壁材
１３    ベースプレート
１３ａ    切欠き孔
１３ｂ    内側面
１４    連結部材
１４ｂ    連結片
１５    作動プレート
１５ａ    内側面
１６    操作ユニット
１６ｃ    受信部
１７    マグネットキャッチ
１９    施錠具
【図１】
2010127018.tif 000003
【図２】
2010127018.tif 000004
【図３】
2010127018.tif 000005
【図４】
2010127018.tif 000006
【図５】
2010127018.tif 000007
【図６】
2010127018.tif 000008